(57)【要約】  現金処理装置の搬送路について、分離部と搬送先切替手段との間の第１部分、搬送先切替手段と集積部との間の第２部分、及び搬送先切替手段とジャム紙幣集積部との間の第３部分を、区分して搬送するように制御し、搬送路のジャムが位置する部分を駆動してジャムを解消するように制御し、第１部分、第２部分、第３部分を区分して搬送することにより、ジャム紙幣をジャム紙幣集積部に収納するよう制御する。
2016111082.tif 000002
【特許請求の範囲】
【請求項１】
紙幣を搬送路に分離する分離部と、
前記搬送路から搬送される前記紙幣を集積する集積部と、
前記搬送路の前記分離部と前記集積部との間の位置に配置され、搬送の方向を切り替える搬送先切替手段と、
前記搬送路で生じるジャムを検知するジャム検知手段と、
前記搬送路から搬送される、前記ジャムのジャム紙幣を収納するジャム紙幣集積部と、
制御部とを有する現金処理装置であって、
前記制御部は、
前記ジャム検知手段が前記ジャムを検知する場合に、前記搬送路のうち、前記分離部と前記搬送先切替手段との間の第１部分、前記搬送先切替手段と前記集積部との間の第２部分、及び前記搬送先切替手段と前記ジャム紙幣集積部との間の第３部分を、区分して搬送するように制御し、
前記搬送路の前記ジャムが位置する部分を駆動して前記ジャムを解消するように制御し、
前記第１部分、前記第２部分、前記第３部分を区分して搬送することにより、前記ジャム紙幣を前記ジャム紙幣集積部に収納するよう制御することを特徴とする現金処理装置。
【請求項２】
前記制御部は、前記ジャム検知手段が前記分離部から前記集積部へ前記紙幣を搬送しているときに前記ジャムを検知する場合に、
第１処理として、前記搬送先切替手段を、前記搬送路の搬送の方向を前記ジャム紙幣集積部から前記分離部への方向とするように切り替え、前記ジャム紙幣集積部と前記分離部とを繋ぐ前記搬送路の前記第１部分と前記第３部分とを前記ジャム紙幣集積部から前記分離部への方向に向かって駆動して、前記搬送路の前記第１部分と前記第３部分とに位置する前記ジャムを解消するように制御し、
第２処理として、前記搬送先切替手段を、前記搬送路の搬送の方向を前記分離部から前記ジャム紙幣集積部への方向とするように切り替え、前記ジャム紙幣集積部と前記分離部とを繋ぐ前記搬送路の前記第１部分と前記第３部分とを前記分離部から前記ジャム紙幣集積部への方向に向かって搬送して、前記搬送路の前記第１部分と前記第３部分に位置する前記紙幣を前記ジャム紙幣集積部に収納するように制御し、
第３処理として、前記搬送先切替手段を、前記搬送路の搬送の方向を前記集積部から前記ジャム紙幣集積部への方向とするように切り替え、前記ジャム紙幣集積部と前記集積部とを繋ぐ前記搬送路の前記第２部分と前記第３部分とを前記集積部から前記ジャム紙幣集積部への方向に向かって駆動して、前記搬送路の前記第２部分と前記第３部分に位置する前記ジャムを解消し、前記搬送路の前記第２部分と前記第３部分に位置する前記紙幣を前記ジャム紙幣集積部に収納することを特徴とする請求項１に記載の現金処理装置。
【請求項３】
前記制御部は、
前記分離部と前記ジャム紙幣集積部が物理的に同じ構成の場合、前記第１処理および前記第２処理を実施しないように制御することを特徴とする請求項２に記載の現金処理装置。
【請求項４】
前記制御部は、
前記集積部と前記ジャム紙幣集積部が物理的に同じ構成の場合、前記第３処理を実施しないように制御することを特徴とする請求項２に記載の現金処理装置。
【請求項５】
前記制御部は、
前記集積部を複数有する場合、複数の前記集積部の各々に対して第３処理を実施するよう制御することを特徴とする請求項２に記載の現金処理装置。
【請求項６】
前記分離部は、一時保留部、収納庫のいずれかであり、
前記ジャム紙幣集積部は、入出金口と前記回収庫のいずれかであり、
前記集積部は、一時保留部、収納庫、回収庫のいずれかであって、かつ前記分離部及び前記ジャム紙幣集積部とは異なる構成であることを特徴とする請求項２に記載の現金処理装置。
【請求項７】
前記分離部と前記ジャム紙幣集積部とは入出金口であり、
前記集積部は一時保留部、収納庫のいずれかであることを特徴である請求項３に記載の現金処理装置。
【請求項８】
前記集積部と前記ジャム紙幣集積部とは、入出金口または回収庫であり、
前記分離部は、一時保留部、収納庫のいずれかであることを特徴である請求項４に記載の現金処理装置。
【請求項９】
前記制御部は、
前記集積部を複数有して、かつ一の前記集積部が前記ジャム紙幣集積部と物理的に同じ構成である場合に、
前記一の集積部には前記第３処理を実施するように制御し、
他の前記集積部には前記第３処理を実施しないように制御することを特徴とする請求項２に記載の現金処理装置。
【請求項１０】
前記搬送路は双方向に搬送可能であることを特徴とする請求項１に記載の現金処理装置。
【発明の詳細な説明】
【技術分野】
【０００１】
本発明は、例えば金融機関などに設置される現金処理装置に関する。
【背景技術】
【０００２】
金融機関などに設置され現金処理装置は、銀行支店や店舗に単独で設置されている場合がある。紙幣の搬送ジャムのような障害が発生する場合には、保守管理者が現金処理装置の設置場所へ行ってジャム紙幣を除去する必要がある。このため、搬送ジャムなどの障害で現金処理装置が停止する場合、現金処理装置を再度立ち上げるまでに長時間を要し、例えば設置場所に１台しかない現金処理装置が長時間停止すると、利用者や金融機関に不都合となる。【０００３】
一方、このような課題を解決するため、ジャム紙幣が発生した場合に、紙幣搬送路をジャム前の方向と逆方向に一定量搬送させてジャムを解消し、紙幣搬送路の搬送方向をジャム前の方向と同方向に搬送させてジャム紙幣をジャム紙幣収納庫へ誘導することで、保守員・係員の介在がなくても自動復旧が可能な技術が提案されている（特許文献１参照）。
【先行技術文献】
【特許文献】
【０００４】
【特許文献１】特開２００８−４１０３０号公報
【発明の概要】
【発明が解決しようとする課題】
【０００５】
上述した技術は、自動復旧をおこなう際、上部もしくは下部搬送路全体をジャムが発生したときの搬送方向と同方向もしくは逆方向に動かすことによって、ジャムの解消およびジャム紙幣をジャム紙幣収納庫へ誘導をおこなっている。そのため、搬送路上の全ての紙幣が同時にジャム紙幣収納庫へ誘導される場合、自動復旧の動作で再度ジャムが発生し自動復旧に失敗するリスクがある。例えば、紙幣の搬送先を切り替える搬送路の分岐部では、搬送路を逆方向に動かす場合、複数の搬送路に振り分けられていた紙幣が１つの搬送路に合流するため、紙幣と紙幣の接触によるジャムが発生しやすい。また、搬送路の分岐部にはゲートなどの搬送方向切替手段があり、このような場所で搬送路を逆方向に動かす場合、ゲートなどが紙幣の通り道を塞ぐことがあるため、紙幣とゲートなどの接触によるジャムが発生しやすい。さらに、上部もしくは下部搬送路全体を動かす場合、ジャム紙幣をジャム紙幣収納庫へ誘導するのに動かす必要のない搬送路も動かされることになり、ジャム紙幣のジャム紙幣収納庫以外への誤搬送によるジャム発生の可能性もある。【０００６】
本発明は、ジャムのリスクが低く、より高い精度で自動復旧が可能な現金処理装置を提供することを課題とする。
【課題を解決するための手段】
【０００７】
本発明による現金処理装置は一例として、紙幣を搬送路に分離する分離部と、前記搬送路から搬送される前記紙幣を集積する集積部と、前記搬送路の前記分離部と前記集積部との間の位置に配置され、搬送の方向を切り替える搬送先切替手段と、前記搬送路で生じるジャムを検知するジャム検知手段と、前記搬送路から搬送される、前記ジャムのジャム紙幣を収納するジャム紙幣集積部と、制御部とを有する現金処理装置であって、前記制御部は、前記ジャム検知手段が前記ジャムを検知する場合に、前記搬送路のうち、前記分離部と前記搬送先切替手段との間の第１部分、前記搬送先切替手段と前記集積部との間の第２部分、及び前記搬送先切替手段と前記ジャム紙幣集積部との間の第３部分を、区分して搬送するように制御し、前記搬送路の前記ジャムが位置する部分を駆動して前記ジャムを解消するように制御し、前記第１部分、前記第２部分、前記第３部分を区分して搬送することにより、前記ジャム紙幣を前記ジャム紙幣集積部に収納するよう制御することを特徴とする。
【発明の効果】
【０００８】
現金処理装置において、保守員・係員の介在がなくても、ジャムのリスクが低く、より高い精度で自動復旧が可能とすることができる。
【図面の簡単な説明】
【０００９】
【図１】実施例１紙幣搬送処理
【図２】実施例１ジャム復旧処理の第１処理
【図３】実施例１ジャム復旧処理の第２処理
【図４】実施例１ジャム復旧処理の第３処理
【図５】実施例２紙幣搬送処理
【図６】実施例２ジャム復旧処理の第３処理
【図７】実施例３紙幣搬送処理
【図８】実施例３ジャム復旧処理の第１処理
【図９】実施例３ジャム復旧処理の第２処理
【図１０】実施例４紙幣搬送処理
【図１１】実施例４ジャム復旧処理の第１処理
【図１２】実施例４ジャム復旧処理の第２処理
【図１３】実施例４ジャム復旧処理の第３処理１
【図１４】実施例４ジャム復旧処理の第３処理２
【図１５】実施例５紙幣搬送処理
【図１６】実施例５ジャム復旧処理の第３処理１
【図１７】実施例５ジャム復旧処理の第３処理２
【図１８】実施例６紙幣搬送処理
【図１９】実施例６ジャム復旧処理の第１処理
【図２０】実施例６ジャム復旧処理の第２処理
【図２１】実施例６ジャム復旧処理の第３処理
【図２２】ジャム復旧処理フロー
【図２３】本発明の実施の例が適用される現金処理装置の例
【発明を実施するための形態】
【００１０】
以下、本発明の実施の例を図面を用いて説明する。図２３に、本発明の実施の例が適用される現金処理装置の例を示す。現金処理装置１は、紙幣の入金と出金のための入出金口１００、紙幣を一時保留するための一時保留部１０１、１０２、ジャム紙幣などを回収するための回収庫１０４、および紙幣を収納するための収納庫１０５−１０９が搬送路１１０で連結されており、搬送路１１０は双方向に動作可能である。搬送路上には、図示しない、紙幣の搬送方向を切り替えるゲートを複数備え、ゲートはそれぞれ２方向に紙幣を振り分けることが出来る。また、搬送路１１０には識別部１０３が設置されている。さらに、現金処理装置１は図示しない制御部を有する。
【００１１】
現金処理装置１において、紙幣を分離する機能を有する部分を分離部とし、紙幣を集積する部分を集積部とし、ジャム紙幣を集積する部分をジャム紙幣集積部とする。以下では、ジャム復旧のパターン毎に説明するものとする。
【実施例１】
【００１２】
実施例１では、図１に模式的に示すように、分離部と集積部とジャム紙幣集積部がそれぞれ１つずつ物理的に異なる構成として存在する紙幣搬送処理においてジャムが発生した際のジャム復旧方法を説明する。ここで、分離部と集積部との間の搬送路には、搬送先切替手段が配置され、分離部と搬送先切替手段との間の搬送路をＭ１、搬送先切替手段と集積部との間の搬送路をＭ２、搬送先切替手段とジャム紙幣集積部との間の搬送路をＭ３とする。【００１３】
実施例１では、分離部は一時保留部１０１、１０２、収納庫１０５−１０９のいずれかが該当する。また、集積部は一時保留部１０１、１０２、収納庫１０５−１０９、回収庫１０４のいずれかであって、かつ分離部及びジャム紙幣集積部とは異なる構成が該当する。また、ジャム紙幣集積部は入出金口１００また回収庫１０４が該当する。ここでは、回収庫１０４から分離の場合は含まない。また、集積部が回収庫１０４の場合は、ジャム紙幣集積部は入出金口１００である。【００１４】
図１は、紙幣搬送処理を示している。分離部Ｆ１から搬送路Ｍ１に分離された紙幣は、搬送先切替手段Ｇ１によって搬送路Ｍ１から搬送路Ｍ２に搬送され、搬送路Ｍ２から集積部Ｄ１に集積される。搬送路Ｍ１もしくは搬送路Ｍ２上で紙幣のジャムが発生した場合は、ジャム検知手段Ｓ１もしくはジャム検知手段Ｓ２によってジャムを検知する。【００１５】
図２は、ジャム復旧処理の第１処理を示している。搬送先切替手段Ｇ１をジャム紙幣収納部Ｊ１から分離部Ｆ１への方向に切り替え、ジャム紙幣搬送先Ｊ１と分離部Ｆ１を繋ぐ搬送路Ｍ３および搬送路Ｍ１のみを、ジャム紙幣搬送先Ｊ１から分離部Ｆ１に向かって一定期間で駆動して動かすことによって、ジャム紙幣搬送先Ｊ１と分離部Ｆ１を繋ぐ搬送路Ｍ３および搬送路Ｍ１上のジャムを解消する。図２２のジャム復旧処理フローでは、Ｈ２が当該処理となる。ジャムを解消するとは、搬送路上の凹凸等への紙幣の引っかかりによって生じたジャムを、ジャム発生時とは逆方向に搬送路を動かすことによって、引っかかりから紙幣を引き戻すことをいう。【００１６】
図３は、ジャム復旧処理の第２処理を示している。搬送先切替手段Ｇ１を分離部Ｆ１からジャム紙幣搬送先Ｊ１への方向に切り替え、ジャム紙幣搬送先Ｊ１と分離部Ｆ１を繋ぐ搬送路Ｍ１および搬送路Ｍ３のみを、分離部Ｆ１からジャム紙幣搬送先Ｊ１に向かって動かすことによって、ジャム紙幣搬送先Ｊ１と分離部Ｆ１を繋ぐ搬送路Ｍ１および搬送路Ｍ３上の紙幣をジャム紙幣搬送先Ｊ１に収納する。図２２のジャム復旧処理フローでは、Ｈ３が当該処理となる。【００１７】
図４は、ジャム復旧処理の第３処理を示している。搬送先切替手段Ｇ１を集積部Ｄ１からジャム紙幣搬送先Ｊ１への方向に切り替え、ジャム紙幣搬送先Ｊ１と集積部Ｄ１を繋ぐ搬送路Ｍ２および搬送路Ｍ３のみを集積部Ｄ１からジャム紙幣搬送先Ｊ１に向かって動かすことによって、ジャム紙幣搬送先Ｊ１と集積部Ｄ１を繋ぐ搬送路Ｍ２および搬送路Ｍ３上のジャムを解消するとともにジャム紙幣搬送先Ｊ１と集積部Ｄ１を繋ぐ搬送路Ｍ２および搬送路Ｍ３上の紙幣をジャム紙幣搬送先Ｊ１に収納する。図２２のジャム復旧処理フローでは、Ｈ４〜Ｈ８が当該処理となるが、Ｈ７の処理は集積部Ｄ１のみに対して実施される。【００１８】
実施例１は、ジャム紙幣搬送先が、分離部及び集積部とは物理的に異なる。このため、実施例１の場合は、ジャム発生時の処理で使用していない領域に紙幣を回収することできる。また、搬送路上のジャム紙幣を機内現金として回収するジャム復旧等に特に有利である。例えば、入金収納処理において、分離部たる一時保留部から集積部たる収納庫に紙幣を搬送している最中にジャムが発生したとき、ジャム紙幣搬送先を回収庫に設定しジャム復旧処理を実施し、搬送路上のジャム紙幣を回収庫に回収することで入金収納処理を継続することが可能である。ジャム紙幣は、一般に状態が良くなく、枚数の確定処理も難しくなりうるため、回収庫を直接的に使用しない処理のとき、ジャム紙幣搬送先を回収庫として、分離部及び集積部とは物理的に別に設定する場合には、現金処理装置の処理精度をさらに高めることができる。
【実施例２】
【００１９】
実施例２では、図５に模式的に示すように、分離部と集積部がそれぞれ１つずつ存在する。かつ、ジャム紙幣集積部は分離部と物理的に同じ構成である。この場合の紙幣搬送処理においてジャムが発生した際のジャム復旧方法を説明する。ここで、分離部/ジャム紙幣集積部と集積部との間の搬送路には、搬送先切替手段が配置され、分離部/ジャム紙幣集積部と搬送先切替手段との間の搬送路をＭ４、搬送先切替手段と集積部との間の搬送路をＭ５とする。【００２０】
実施例２では、分離部/ジャム紙幣集積部は入出金口１００とする。また、集積部は一時保留部１０１、１０２、収納庫１０５−１０９のいずれかが該当する。ここでは、回収庫１０４への集積の場合は含まない。  図５は、紙幣搬送処理を示している。分離部Ｆ２から搬送路Ｍ４に分離された紙幣は、搬送先切替手段Ｇ２によって搬送路Ｍ４から搬送路Ｍ５に搬送され、搬送路Ｍ５から集積部Ｄ２に集積される。搬送路Ｍ４もしくは搬送路Ｍ５上で紙幣のジャムが発生した場合は、
ジャム検知手段Ｓ３もしくはジャム検知手段Ｓ４によってジャムを検知する。【００２１】
実施例２では、分離部とジャム紙幣集積部が物理的に同じ構成であるため、ジャム復旧処理の第１処理および第２処理は省略する。図２２のジャム復旧処理フローでは、Ｈ１の判定がＹであるため、Ｈ２、Ｈ３を省略する。【００２２】
図６は、ジャム復旧処理の第３処理を示している。搬送先切替手段Ｇ２を集積部Ｄ２からジャム紙幣搬送先Ｊ２への方向に切り替え、ジャム紙幣搬送先Ｊ２と集積部Ｄ２を繋ぐ搬送路Ｍ４および搬送路Ｍ５のみを集積部Ｄ２からジャム紙幣搬送先Ｊ２に向かって動かすことによって、ジャム紙幣搬送先Ｊ２と集積部Ｄ２を繋ぐ搬送路Ｍ４および搬送路Ｍ５上のジャムを解消するとともにジャム紙幣搬送先Ｊ２と集積部Ｄ２を繋ぐ搬送路Ｍ４および搬送路Ｍ５上の紙幣をジャム紙幣搬送先Ｊ２に収納する。図２２のジャム復旧処理フローでは、Ｈ４〜Ｈ８が当該処理となるが、Ｈ７の処理は集積部Ｄ２のみに対して実施される。【００２３】
実施例２は、ジャム紙幣搬送先が分離部と物理的に同じ構成である。このため、搬送路上のジャム紙幣を機外現金として返却するジャム復旧等に特に有利である。例えば、入金計数処理において、分離部たる入出金口から集積部たる一時保留部に紙幣を搬送している最中にジャムが発生したとき、ジャム紙幣搬送先を入出金口に設定しジャム復旧処理を実施し、搬送路上のジャム紙幣を入出金口に返却することで入金計数処理をリトライすることが可能である。
【実施例３】
【００２４】
実施例３では、図７に模式的に示すように、分離部と集積部がそれぞれ１つずつ存在する。かつ、ジャム紙幣集積部は集積部と物理的に同じ構成である。この場合の紙幣搬送処理においてジャムが発生した際のジャム復旧方法を説明する。ここで、分離部と集積部/ジャム紙幣集積部との間の搬送路には、搬送先切替手段が配置され、分離部と搬送先切替手段との間の搬送路をＭ６、搬送先切替手段と集積部/ジャム紙幣集積部との間の搬送路をＭ７とする。【００２５】
実施例３では、分離部は一時保留部１０１、１０２、収納庫１０５−１０９のいずれかが該当する。また、集積部/ジャム紙幣集積部は入出金口１００または回収庫１０４とする。ここでは、回収庫１０４からの分離の場合は含まない。【００２６】
図７は、紙幣搬送処理を示している。分離部Ｆ３から搬送路Ｍ６に分離された紙幣は、搬送先切替手段Ｇ３によって搬送路Ｍ６から搬送路Ｍ７に搬送され、搬送路Ｍ７から集積部Ｄ３に集積される。搬送路Ｍ６もしくは搬送路Ｍ７上で紙幣のジャムが発生した場合は、ジャム検知手段Ｓ５もしくはジャム検知手段Ｓ６によってジャムを検知する。【００２７】
図８は、ジャム復旧処理の第１処理を示している。搬送先切替手段Ｇ３をジャム紙幣収納部Ｊ３から分離部Ｆ３への方向に切り替え、ジャム紙幣搬送先Ｊ３と分離部Ｆ３を繋ぐ搬送路Ｍ６および搬送路Ｍ７のみをジャム紙幣搬送先Ｊ３から分離部Ｆ３に向かって一定期間駆動して動かすことによって、ジャム紙幣搬送先Ｊ３と分離部Ｆ３を繋ぐ搬送路Ｍ６および搬送路Ｍ７上のジャムを解消する。図２２のジャム復旧処理フローでは、Ｈ２が当該処理となる。【００２８】
図９は、ジャム復旧処理の第２処理を示している。搬送先切替手段Ｇ３を分離部Ｆ３からジャム紙幣搬送先Ｊ３への方向に切り替え、ジャム紙幣搬送先Ｊ３と分離部Ｆ３を繋ぐ搬送路Ｍ６および搬送路Ｍ７のみを分離部Ｆ３からジャム紙幣搬送先Ｊ３に向かって動かすことによって、ジャム紙幣搬送先Ｊ３と分離部Ｆ３を繋ぐ搬送路Ｍ６および搬送路Ｍ７上の紙幣をジャム紙幣搬送先Ｊ３に収納する。図２２のジャム復旧処理フローでは、Ｈ３が当該処理となる。【００２９】
実施例３では、集積部とジャム紙幣集積部が物理的に同じ構成であるため、ジャム復旧処理の第３処理は省略する。図２２のジャム復旧処理フローでは、Ｈ４〜Ｈ８が当該処理となるが、ジャム紙幣集積部Ｊ３と集積部Ｄ３が物理的に同じ構成であるため、Ｈ７の処理は省略される。【００３０】
実施例３は、ジャム紙幣搬送先が集積部と物理的に同じ構成である。このため、搬送路上のジャム紙幣を機内現金として一括して回収するジャム復旧と、搬送路上のジャム紙幣を機外現金として一括して返却するジャム復旧との双方に有利である。例えば、回収処理において、入出金口から回収庫に紙幣を搬送している最中にジャムが発生したとき、ジャム紙幣搬送先を集積部/ジャム紙幣集積部たる回収庫に設定しジャム復旧処理を実施し、搬送路上のジャム紙幣を回収庫に回収することで紙幣を一括して回収する回収処理を継続することが可能である。また、入金返却処理において、一時保留部から入出金口に紙幣を搬送している最中にジャムが発生したとき、ジャム紙幣搬送先を集積部/ジャム紙幣集積部たる入出金口に設定しジャム復旧処理を実施し、搬送路上のジャム紙幣を入出金口に返却することで入金返却処理をリトライして入金紙幣を一括して返却することが可能である。
【実施例４】
【００３１】
実施例４では、図１０に模式的に示すように、分離部(とジャム紙幣集積部がそれぞれ１つずつと集積部が複数存在する紙幣搬送処理においてジャムが発生した際のジャム復旧方法を説明する。ここで、分離部と集積部との間の搬送路には、搬送先切替手段が配置され、分離部と搬送先切替手段との間の搬送路をＭ８、搬送先切替手段と集積部１との間の搬送路をＭ９、搬送先切替手段と集積部２との間の搬送路をＭ１０、搬送先切替手段とジャム紙幣集積部との間の搬送路をＭ１１とする。【００３２】
実施例４では、分離部は、一時保留部１０１、１０２、収納庫１０５−１０９のいずれか一つが該当する。ジャム紙幣集積部は入出金口１００が該当する。また、集積部は、一時保留部１０１、１０２、収納庫１０５−１０９、回収庫１０４のいずれか複数であって、かつ分離部と異なる構成が該当する。が該当する。ここでは、回収庫１０４から分離の場合は含まない。【００３３】
図１０は、紙幣搬送処理を示している。分離部Ｆ４から搬送路Ｍ８に分離された紙幣は、搬送先切替手段Ｇ４によって搬送路Ｍ８から搬送路９もしくは搬送路１０に搬送され、搬送路Ｍ９から集積部Ｄ４に集積されるか、搬送路１０から集積部Ｄ５に集積される。搬送路Ｍ８、搬送路Ｍ９もしくは搬送路Ｍ１０上で紙幣のジャムが発生した場合は、ジャム検知手段Ｓ７、ジャム検知手段Ｓ８もしくはジャム検知手段Ｓ９によってジャムを検知する。【００３４】
図１１は、ジャム復旧処理の第１処理を示している。搬送先切替手段Ｇ４をジャム紙幣収納部Ｊ４から分離部Ｆ４への方向に切り替え、ジャム紙幣搬送先Ｊ４と分離部Ｆ４を繋ぐ搬送路Ｍ８および搬送路Ｍ１１のみを、ジャム紙幣搬送先Ｊ４から分離部Ｆ４に向かって一定期間駆動して動かすことによって、ジャム紙幣搬送先Ｊ４と分離部Ｆ４を繋ぐ搬送路Ｍ８および搬送路Ｍ１１上のジャムを解消する。図２２のジャム復旧処理フローでは、Ｈ２が当該処理となる。【００３５】
図１２は、ジャム復旧処理の第２処理を示している。搬送先切替手段Ｇ４を分離部Ｆ４からジャム紙幣搬送先Ｊ４への方向に切り替え、ジャム紙幣搬送先Ｊ４と分離部Ｆ４を繋ぐ搬送路Ｍ８および搬送路Ｍ１１のみを、分離部Ｆ４からジャム紙幣搬送先Ｊ４に向かって動かすことによって、ジャム紙幣搬送先Ｊ４と分離部Ｆ４を繋ぐ搬送路Ｍ８および搬送路Ｍ１１上の紙幣をジャム紙幣搬送先Ｊ４に収納する。図２２のジャム復旧処理フローでは、Ｈ３が当該処理となる。【００３６】
図１３は、ジャム復旧処理の第３処理を示している。搬送先切替手段Ｇ４を集積部Ｄ４からジャム紙幣搬送先Ｊ４への方向に切り替え、ジャム紙幣搬送先Ｊ４と集積部Ｄ４を繋ぐ搬送路Ｍ９および搬送路Ｍ１１のみを集積部Ｄ４からジャム紙幣搬送先Ｊ４に向かって動かすことによって、ジャム紙幣搬送先Ｊ４と集積部Ｄ４を繋ぐ搬送路Ｍ９および搬送路Ｍ１１上のジャムを解消するとともにジャム紙幣搬送先Ｊ４と集積部Ｄ４を繋ぐ搬送路Ｍ９および搬送路Ｍ１１上の紙幣をジャム紙幣搬送先Ｊ４に収納する。図２２のジャム復旧処理フローでは、Ｈ４〜Ｈ８が当該処理となり、１つ目の集積部である集積部Ｄ４に対して、Ｈ７の処理を実施する。【００３７】
図１４は、ジャム復旧処理の第３処理を示している。搬送先切替手段Ｇ４を集積部Ｄ５からジャム紙幣搬送先Ｊ４への方向に切り替え、ジャム紙幣搬送先Ｊ４と集積部Ｄ５を繋ぐ搬送路Ｍ１０および搬送路Ｍ１１のみを集積部Ｄ５からジャム紙幣搬送先Ｊ４に向かって動かすことによって、ジャム紙幣搬送先Ｊ４と集積部Ｄ５を繋ぐ搬送路Ｍ１０および搬送路Ｍ１１上のジャムを解消するとともにジャム紙幣搬送先Ｊ４と集積部Ｄ４を繋ぐ搬送路Ｍ９および搬送路Ｍ１１上の紙幣をジャム紙幣搬送先Ｊ４に収納する。図２２のジャム復旧処理フローでは、Ｈ４〜Ｈ８が当該処理となり、２つ目の集積部である集積部Ｄ５に対して、Ｈ７の処理を実施する。【００３８】
実施例４は、ジャム紙幣搬送先が、分離部及び集積部と物理的に異なる。このため、実施例１と同様に搬送路上のジャム紙幣を機内現金として回収するジャム復旧等に特に有利である。
【実施例５】
【００３９】
実施例５では、図１５に示すように、分離部が１つと集積部が複数存在する。かつ、ジャム紙幣集積部は分離部と物理的に同じ構成である。この場合の紙幣搬送処理においてジャムが発生した際のジャム復旧方法を説明する。ここで、分離部/ジャム紙幣集積部と集積部との間の搬送路には、搬送先切替手段が配置され、分離部/ジャム紙幣集積部と搬送先切替手段との間の搬送路をＭ１２、搬送先切替手段と集積部１との間の搬送路をＭ１３、搬送先切替手段と集積部２との間の搬送路をＭ１４とする。【００４０】
実施例５では、分離部/ジャム紙幣集積部は入出金口１００とする。また、集積部は一時保留部１０１、１０２、収納庫１０５−１０９のいずれか複数が該当する。ここでは、回収庫１０４への集積の場合は含まない。【００４１】
図１５は、紙幣搬送処理を示している。分離部Ｆ５から搬送路Ｍ１２に分離された紙幣は、搬送先切替手段Ｇ５によって搬送路Ｍ１２から搬送路Ｍ１３もしくは搬送路Ｍ１４に搬送され、搬送路Ｍ１３から集積部Ｄ６に集積されるか、搬送路Ｍ１４から集積部Ｄ７に集積される。搬送路Ｍ１２、搬送路Ｍ１３もしくは搬送路Ｍ１４上で紙幣のジャムが発生した場合は、ジャム検知手段Ｓ１０、ジャム検知手段Ｓ１１もしくはジャム検知手段Ｓ１２によってジャムを検知する。【００４２】
実施例５では、分離部とジャム紙幣集積部が物理的に同じ構成であるため、ジャム復旧処理の第１処理および第２処理は省略する。図２２のジャム復旧処理フローでは、Ｈ１の判定がＹになることでＨ２、Ｈ３を省略する。【００４３】
図１６は、ジャム復旧処理の第３処理を示している。搬送先切替手段Ｇ５を集積部Ｄ６からジャム紙幣搬送先Ｊ５への方向に切り替え、ジャム紙幣搬送先Ｊ５と集積部Ｄ６を繋ぐ搬送路Ｍ１２および搬送路Ｍ１３のみを、集積部Ｄ６からジャム紙幣搬送先Ｊ５に向かって動かすことによって、ジャム紙幣搬送先Ｊ５と集積部Ｄ６を繋ぐ搬送路Ｍ１２および搬送路Ｍ１３上のジャムを解消するとともにジャム紙幣搬送先Ｊ５と集積部Ｄ６を繋ぐ搬送路Ｍ１２および搬送路Ｍ１３上の紙幣をジャム紙幣搬送先Ｊ５に収納する。図２２のジャム復旧処理フローでは、Ｈ４〜Ｈ８が当該処理となり、１つ目の集積部である集積部Ｄ６に対して、Ｈ７の処理を実施する。【００４４】
図１７は、ジャム復旧処理の第３処理を示している。搬送先切替手段Ｇ５を集積部Ｄ７からジャム紙幣搬送先Ｊ５への方向に切り替え、ジャム紙幣搬送先Ｊ５と集積部Ｄ７を繋ぐ搬送路Ｍ１２および搬送路Ｍ１４のみを集積部Ｄ７からジャム紙幣搬送先Ｊ５に向かって動かすことによって、ジャム紙幣搬送先Ｊ５と集積部Ｄ７を繋ぐ搬送路Ｍ１２および搬送路Ｍ１４上のジャムを解消するとともにジャム紙幣搬送先Ｊ５と集積部Ｄ７を繋ぐ搬送路Ｍ１２および搬送路Ｍ１４上の紙幣をジャム紙幣搬送先Ｊ５に収納する。図２２のジャム復旧処理フローでは、Ｈ４〜Ｈ８が当該処理となり、２つ目の集積部である集積部Ｄ７に対して、Ｈ７の処理を実施する。【００４５】
実施例２は、ジャム紙幣搬送先が分離部と物理的に同じ構成である。このため、実施例２と同様に搬送路上のジャム紙幣を機外現金として返却するジャム復旧等に特に有利である。
【実施例６】
【００４６】
実施例６では、図１８に模式的に示すように、分離部１つと集積部が複数存在する。かつ、ジャム紙幣集積部は集積部の１つと物理的に同じ構成である。この場合の紙幣搬送処理においてジャムが発生した際のジャム復旧方法を説明する。ここで、分離部と集積部との間の搬送路には、搬送先切替手段が配置され、分離部と搬送先切替手段との間の搬送路をＭ１５、搬送先切替手段と集積部１/ジャム紙幣集積部との間の搬送路をＭ１６、搬送先切替手段と集積部２との間の搬送路をＭ１７とする。【００４７】
実施例６では、分離部は一時保留部１０１、１０２、収納庫１０５−１０９のいずれか一つが該当する。また、集積部は入出金口１００、一時保留部１０１、１０２、収納庫１０５−１０９、回収庫１０４のいずれか複数であって、かつ分離部と異なる構成が該当する。また、集積部のうち一つはジャム紙幣集積部を兼ねる。ここでは、回収庫１０４への分離の場合は含まない。【００４８】
図１８は、紙幣搬送処理を示している。分離部Ｆ６から搬送路Ｍ１５に分離された紙幣は、搬送先切替手段Ｇ６によって搬送路Ｍ１５から搬送路Ｍ１６もしくは搬送路１７に搬送され、搬送路Ｍ１６から集積部Ｄ８に集積されるか、搬送路Ｍ１７から集積部Ｄ９に集積される。搬送路Ｍ１５、搬送路Ｍ１６もしくは搬送路Ｍ１７上で紙幣のジャムが発生した場合は、ジャム検知手段Ｓ１３、ジャム検知手段Ｓ１４もしくはジャム検知手段Ｓ１５によってジャムを検知する。【００４９】
図１９は、ジャム復旧処理の第１処理を示している。搬送先切替手段Ｇ６をジャム紙幣収納部Ｊ６から分離部Ｆ６への方向に切り替え、ジャム紙幣搬送先Ｊ６と分離部Ｆ６を繋ぐ搬送路Ｍ１５および搬送路Ｍ１６のみをジャム紙幣搬送先Ｊ６から分離部Ｆ６に向かって一定期間駆動して動かすことによって、ジャム紙幣搬送先Ｊ６と分離部Ｆ６を繋ぐ搬送路Ｍ１５および搬送路Ｍ１６上のジャムを解消する。図２２のジャム復旧処理フローでは、Ｈ２が当該処理となる。【００５０】
図２０は、ジャム復旧処理の第２処理を示している。搬送先切替手段Ｇ６を分離部Ｆ６からジャム紙幣搬送先Ｊ６への方向に切り替え、ジャム紙幣搬送先Ｊ６と分離部Ｆ６を繋ぐ搬送路Ｍ１５および搬送路Ｍ１６のみを分離部Ｆ６からジャム紙幣搬送先へのＪ６に向かって動かすことによって、ジャム紙幣搬送先Ｊ６と分離部Ｆ６を繋ぐ搬送路Ｍ１５および搬送路Ｍ１６上の紙幣をジャム紙幣搬送先Ｊ６に収納する。図２２のジャム復旧処理フローでは、Ｈ３が当該処理となる。【００５１】
実施例６では、集積部Ｄ８とジャム紙幣集積部が物理的に同じ構成であるため、集積部Ｄ８に対するジャム復旧処理の第３処理は省略する。図２２のジャム復旧処理フローでは、Ｈ４〜Ｈ８が当該処理となるが、ジャム紙幣集積部Ｊ６と集積部Ｄ８が同じであるため、Ｈ７の処理は省略される。【００５２】
図２１は、ジャム復旧処理の第３処理を示している。搬送先切替手段Ｇ６を集積部Ｄ９からジャム紙幣搬送先Ｊ６への方向に切り替え、ジャム紙幣搬送先Ｊ６と集積部Ｄ９を繋ぐ搬送路Ｍ１６および搬送路Ｍ１７のみを、集積部Ｄ９からジャム紙幣搬送先Ｊ６に向かって駆動して動かすことによって、ジャム紙幣搬送先Ｊ６と集積部Ｄ９を繋ぐ搬送路Ｍ１６および搬送路Ｍ１７上のジャムを解消するとともにジャム紙幣搬送先Ｊ６と集積部Ｄ９を繋ぐ搬送路Ｍ１６および搬送路Ｍ１７上の紙幣をジャム紙幣搬送先Ｊ６に収納する。図２２のジャム復旧処理フローでは、Ｈ４〜Ｈ８が当該処理となり、２つ目の集積部である集積部Ｄ９に対して、Ｈ７の処理を実施する。【００５３】
実施例６は、ジャム紙幣搬送先が集積部と物理的に同じ構成であるため、実施例３と同様に搬送路上のジャム紙幣を機内現金として回収するジャム復旧及び搬送路上のジャム紙幣を機外現金として返却するジャム復旧に有利である。【００５４】
図２２は、上記した実施例１から実施例６のフローを総括する、現金処理装置におけるジャム復旧処理のフローである。なおこのフローは、現金処理装置の制御部によって制御される。【００５５】
ジャム紙幣集積部が分離部と異なる構成に設定されているとき（Ｈ１：Ｎ）には、上述の第１処理（Ｈ２）、第２処理（Ｈ３）が実施される。さらに、ジャム紙幣集積部を除く全ての集積部に対して第３処理が実施される（Ｈ４〜Ｈ８）。【００５６】
一方、ジャム紙幣集積部が分離部と物理的に同じ構成に設定されているとき（Ｈ１：Ｙ）には、上述の第１処理（Ｈ２）、第２処理（Ｈ３）は実施されずに、Ｈ４以下の処理が実施される。【００５７】
実施例１〜６全てについて、係員等による有人ジャム復旧処理を行う場合等では、現金処理装置において、ジャム紙幣搬送先を入出金口等のアクセスしやすい箇所に設定してジャム復旧処理を実施してもよい。この場合、搬送路上のジャム紙幣を入出金口等のアクセスしやすい箇所に集めることができ、係員等によるジャム紙幣の回収が容易になる。
【符号の説明】
【００５８】
Ｆ１…実施例１における分離部、
Ｆ２…実施例２における分離部、
Ｆ３…実施例３における分離部、
Ｆ４…実施例４における分離部、
Ｆ５…実施例５における分離部、
Ｆ６…実施例６における分離部、
Ｄ１…実施例１における集積部、
Ｄ２…実施例２における集積部、
Ｄ３…実施例３における集積部、
Ｄ４…実施例４における集積部１、
Ｄ５…実施例４における集積部２、
Ｄ６…実施例５における集積部１、
Ｄ７…実施例５における集積部２、
Ｄ８…実施例６における集積部１、
Ｄ９…実施例６における集積部２、
Ｆ１…実施例１におけるジャム紙幣集積部、
Ｆ２…実施例２におけるジャム紙幣集積部、
Ｆ３…実施例３におけるジャム紙幣集積部、
Ｆ４…実施例４におけるジャム紙幣集積部、
Ｆ５…実施例５におけるジャム紙幣集積部、
Ｆ６…実施例６におけるジャム紙幣集積部、
Ｍ１…実施例１における搬送路１、
Ｍ２…実施例１における搬送路２、
Ｍ３…実施例１における搬送路３、
Ｍ４…実施例２における搬送路１、
Ｍ５…実施例２における搬送路２、
Ｍ６…実施例３における搬送路１、
Ｍ７…実施例３における搬送路２、
Ｍ８…実施例４における搬送路１、
Ｍ９…実施例４における搬送路２、
Ｍ１０…実施例４における搬送路３、
Ｍ１１…実施例４における搬送路４、
Ｍ１２…実施例５における搬送路１、
Ｍ１３…実施例５における搬送路２、
Ｍ１４…実施例５における搬送路３、
Ｍ１５…実施例６における搬送路１、
Ｍ１６…実施例６における搬送路２、
Ｍ１７…実施例６における搬送路３、
Ｇ１…実施例１における搬送先切替手段、
Ｇ２…実施例２における搬送先切替手段、
Ｇ３…実施例３における搬送先切替手段、
Ｇ４…実施例４における搬送先切替手段、
Ｇ５…実施例５における搬送先切替手段、
Ｇ６…実施例６における搬送先切替手段、
Ｓ１…実施例１におけるジャム検知手段１、
Ｓ２…実施例１におけるジャム検知手段２、
Ｓ３…実施例２におけるジャム検知手段１、
Ｓ４…実施例２におけるジャム検知手段２、
Ｓ５…実施例３におけるジャム検知手段１、
Ｓ６…実施例３におけるジャム検知手段２、
Ｓ７…実施例４におけるジャム検知手段１、
Ｓ８…実施例４におけるジャム検知手段２、
Ｓ９…実施例４におけるジャム検知手段３、
Ｓ１０…実施例５におけるジャム検知手段１、
Ｓ１１…実施例５におけるジャム検知手段２、
Ｓ１２…実施例５におけるジャム検知手段３、
Ｓ１３…実施例６におけるジャム検知手段１、
Ｓ１４…実施例６におけるジャム検知手段２、
Ｓ１５…実施例６におけるジャム検知手段３、
【図１】
2016111082.tif 000003
【図２】
2016111082.tif 000004
【図３】
2016111082.tif 000005
【図４】
2016111082.tif 000006
【図５】
2016111082.tif 000007
【図６】
2016111082.tif 000008
【図７】
2016111082.tif 000009
【図８】
2016111082.tif 000010
【図９】
2016111082.tif 000011
【図１０】
2016111082.tif 000012
【図１１】
2016111082.tif 000013
【図１２】
2016111082.tif 000014
【図１３】
2016111082.tif 000015
【図１４】
2016111082.tif 000016
【図１５】
2016111082.tif 000017
【図１６】
2016111082.tif 000018
【図１７】
2016111082.tif 000019
【図１８】
2016111082.tif 000020
【図１９】
2016111082.tif 000021
【図２０】
2016111082.tif 000022
【図２１】
2016111082.tif 000023
【図２２】
2016111082.tif 000024
【図２３】
2016111082.tif 000025
【国際調査報告】
2016111082.tif 000026
2016111082.tif 000027